(57)【特許請求の範囲】
【請求項１】
枠状で所定高さのプレキャスト型枠部材を形成する工程と、
前記プレキャスト型枠部材に鉄筋用フレームを介して鉄筋を取り付ける工程と、
橋脚を構築する所定位置に鉄骨を建て込む工程と、
前記鉄骨の周囲に所定数の前記プレキャスト型枠部材を積み上げる工程と、
前記積み上げられたプレキャス型枠部材の中にコンクリートを打設する工程とを含み、
前記鉄筋用フレームは、前記プレキャスト内枠部材に所定間隔をおいて複数取り付けられ、前記プレキャスト外枠部材及びプレキャスト内枠部材に対して垂直に配され、前記プレキャスト外枠部材及びプレキャスト内枠部材の高さ方向に延び、かつこれらの高さに対応した一対の長辺と、この長辺の両端を連結する一対の短辺とにより形成された枠状部材であり、
前記鉄筋用フレームには、建て込まれた鉄骨とプレキャスト外枠部材との間及び前記鉄骨とプレキャスト内枠部材との間に配筋可能なように、複数の鉄筋を前記一対の長辺上に、当該長辺と交わるように所定間隔で固定することを特徴とするコンクリート橋脚の施工方法。
【請求項２】
前記鉄筋は帯鉄筋であり、この帯鉄筋は、前記プレキャスト内枠部材側に配されている長辺の内側と、前記プレキャスト外枠部材側の長辺の外側とに固定されることを特徴とする請求項１に記載のコンクリート橋脚の施工方法。
【請求項３】
前記一対の長辺の両内側又は前記プレキャスト内枠部材側に配されている長辺の内側と前記プレキャスト外枠部材側の長辺の外側とに固定されている帯鉄筋を連結している中間帯鉄筋をさらに有していることを特徴とする請求項２に記載のコンクリート橋脚の施工方法。
【発明の詳細な説明】
【０００１】
【発明の属する技術分野】
本発明は、コンクリート橋脚の施工方法に関する。
【０００２】
【従来の技術】
高速道路等の高架橋には、通常、コンクリート橋脚が使用されており、従来は次のような施工方法により構築されていた。即ち、従来は基礎から主鉄筋を多数立設し、この主鉄筋の周囲を取り囲むよう帯鉄筋を固定する。この帯鉄筋を固定するときには、バインド線等を用いて手作業により主鉄筋に固定する。
【０００３】
このような、鉄筋の建て込みを完成した後、鉄筋の周囲に支保工を組みコンクリート型枠を設営する。そしてこの型枠の完成後、型枠内部にコンクリートを打設し、養生の後型枠と支保工を解体撤去する。このような工程からなる一連の作業を必要回数繰り返して施工する。
【０００４】
【発明が解決しようとする課題】
しかし、上述した従来のコンクリート橋脚の施工方法では次のような問題があった。第一に、鉄筋部分の組み立ては熟練を要する上に多くの手間と労力が必要なので、工期が長期化する。第二に、コンクリート型枠の脱型及び支保工の解体が必要であり、このため多大な労力と型枠等の仮設置場所を要する。第三に、高所作業となるため作業性が低下する。特に、山間地では高い橋脚が必要とされる場合が多く、作業環境の改善が強く望まれる。
【０００５】
本発明の目的は、このような問題点を解決することにあり、鉄筋の組立が容易であり、また、脱型を省略して工期を短縮することができ、更に、作業性を向上させることが可能なコンクリート橋脚の施工方法を提供することにある。
【０００６】
【課題を解決するための手段】
本発明は、コンクリート橋脚の施工方法であり、前述の技術的課題を解決するために以下のように構成されている。すなわち、本発明のコンクリート橋脚の施工方法は、枠状で所定高さのプレキャスト型枠部材を形成する工程と、
前記プレキャスト型枠部材に鉄筋用フレームを介して鉄筋を取り付ける工程と、
橋脚を構築する所定位置に鉄骨を建て込む工程と、
前記鉄骨の周囲に所定数の前記プレキャスト型枠部材を積み上げる工程と、
前記積み上げられたプレキャス型枠部材の中にコンクリートを打設する工程とを含み、
前記鉄筋用フレームは、前記プレキャスト内枠部材に所定間隔をおいて複数取り付けられ、前記プレキャスト外枠部材及びプレキャスト内枠部材に対して垂直に配され、前記プレキャスト外枠部材及びプレキャスト内枠部材の高さ方向に延び、かつこれらの高さに対応した一対の長辺と、この長辺の両端を連結する一対の短辺とにより形成された枠状部材であり、
前記鉄筋用フレームには、建て込まれた鉄骨とプレキャスト外枠部材との間及び前記鉄骨とプレキャスト内枠部材との間に配筋可能なように、複数の鉄筋を前記一対の長辺上に、当該長辺と交わるように所定間隔で固定することを特徴とする。
【０００７】
このコンクリート橋脚の施工方法は、プレキャスト型枠部材を使用するので型枠の解体作業が不要になると共に、プレキャスト型枠部材に予め鉄筋用フレームを介して鉄筋を取り付けてから積み上げるので、プレキャスト型枠部材に鉄筋を容易に取り付けることができると共に、現地における鉄筋の組立作業が不要になる。
【０００８】
前記鉄筋は帯鉄筋であり、この帯鉄筋は、前記一対の長辺の両内側又は前記プレキャスト内枠部材側に配されている長辺の内側と前記プレキャスト外枠部材側の長辺の外側とに固定することができる。
また、前記一対の長辺の両内側又は前記プレキャスト内枠部材側に配されている長辺の内側と前記プレキャスト外枠部材側の長辺の外側とに固定されている帯鉄筋を連結している中間帯鉄筋をさらに有するようにしてもよい。
【０００９】
前記鉄筋は帯鉄筋であり、この帯鉄筋は、前記一対の長辺の両内側又は前記プレキャスト内枠部材側に配されている長辺の内側と前記プレキャスト外枠部材側の長辺の外側とに固定することができる。また、前記一対の長辺の両内側又は前記プレキャスト内枠部材側に配されている長辺の内側と前記プレキャスト外枠部材側の長辺の外側とに固定されている帯鉄筋を連結している中間帯鉄筋をさらに有するようにしてもよい。
【００１０】
【発明の実施の形態】
以下、本発明に係るコンクリート橋脚の施工方法の実施の形態を、図面を参照して詳細に説明する。
【００１１】
図１は、本発明に係るコンクリート橋脚の施工方法を示すフローチャートである。このコンクリート橋脚の施工方法においては、まず、例えば組み立てヤードや製造工場などで枠状のプレキャスト型枠部材１０（図２参照）を必要な数だけ形成する（ステップ１）。次に、これらのプレキャスト型枠部材１０に鉄筋用フレーム１４を介して帯鉄筋１１を取り付ける（ステップ２）。
【００１２】
次に、コンクリート橋脚１の施工現場において、Ｈ型鋼などの鉄骨１２を建て込み（ステップ３）、この鉄骨１２の周囲にプレキャスト型枠部材１０を設置する（ステップ４）。この後、支保工（図示せず）を組み立てる（ステップ５）。以下、上述のステップ４のプレキャスト型枠部材１０の設置、及びステップ５の志保工の組立を所定回数ｍだけ繰り返して行うことにより、プレキャスト型枠部材１０を順次積み上げて所定の高さにする。次に、積み上げられたプレキャスト型枠部材１０内にコンクリート１３を打設する（ステップ６）。
【００１３】
このようにして、コンクリート橋脚１（図２参照）の一部分を所定の高さまで施工した後、上述のステップ３の鉄骨１２の建て込み〜ステップ６のコンクリート打設を所定回数ｎだけ繰り返して行うことにより、コンクリート橋脚１が完成する。なお、比較的低いコンクリート橋脚１の場合は、鉄骨１２を一段とし、この鉄骨１２の周囲に所定数のプレキャスト型枠部材１０を積み上げてから、コンクリート１３を打設することによりコンクリート橋脚１を完成することもできる。これは、上述のｍ、ｎを１とした場合である。
【００１４】
図２は、上述のコンクリート橋脚の施工方法を適用して製造したコンクリート橋脚１の横断面を示す。このコンクリート橋脚１のプレキャスト型枠部材１０は、枠状、本実施の形態では４角形のプレキャスト外枠部材１０ａと、このプレキャスト外枠部材１０ａの内側に配置されるプレキャスト内枠部材１０ｂによって構成され、これらのプレキャスト外枠部材１０ａとプレキャスト内枠部材１０ｂとの間に所定数の鉄骨１２が配置されている。
【００１５】
プレキャスト外枠部材１０ａ及びプレキャスト内枠部材１０ｂは、コンクリート橋脚１の外壁となるものであり、コンクリート又はモルタルによって４角形に形成されている。このプレキャスト外枠部材１０ａ及びプレキャスト内枠部材１０ｂは、上述のように組み立てヤードや製造工場等において予め複数に分割して製造し、これらの分割片を接続して一体の枠状体として形成することができる。
【００１６】
そして、その断面形状は本実施の形態では４角形としたが、円形、楕円形、多角形など任意の形状にすることができる。また、本実施の形態では、プレキャスト内枠部材１０ｂの外周側に鉄筋用フレーム１４が適宜な間隔で複数設けられ、これらの鉄筋用フレーム１４に帯鉄筋１１が取り付けられている。鉄筋用フレーム１４及び帯鉄筋１１の取り付け方法については後述する。
【００１７】
図３〜図１２は、上述のコンクリート橋脚１の施工手順を示す。なお、プレキャスト型枠部材１０は予め製造されているものとする。ここでは、まず図３に示すように、コンクリート橋脚１の基礎段２１にＨ型鋼などの鉄骨１２の定着部分を建て込む。次に、図４に示すように基礎部２２のコンクリートを打設する。続いて、図５に示すように基礎部２２上に所定数、本実施の形態では２個のプレキャスト外枠部材１０ａを積み重ねて設置し、次に図６に示すようにこれらのプレキャスト外枠部材１０ａ内にコンクリート１３を打設する。これにより、コンクリート橋脚１の中実部分が完成する。
【００１８】
次に、図７に示すように鉄骨１２上に、次の鉄骨１２を載せて例えばボルトで結合する。続いて、図８に示すように設置済みのプレキャスト外枠部材１０ａ上に、所定数のプレキャスト外枠部材１０ａを上乗せしてから、図９に示すように、鉄骨１２の内側にプレキャスト内枠部材１０ｂを所定数だけ積み重ねて配置する。このプレキャスト内枠部材１０ｂには、後述のように帯鉄筋１１が取り付けられている。
【００１９】
次に、図１０に示すようにプレキャスト外枠部材１０ａとプレキャスト内枠部材１０ｂとを、例えば棒状の連結部材２４で連結する。この連結部材２４は、棒状部材以外に等辺山型鋼、溝型鋼等の鋼材を使用できる。このように連結部材２４で連結することにより、プレキャスト外枠部材１０ａ及びプレキャスト内枠部材１０ｂが、コンクリート１３がもたらす側圧で孕むのを防止できる。次に、図１１に示すように、プレキャスト外枠部材１０ａとプレキャスト内枠部材１０ｂとの間に、コンクリート１３を打設する。
【００２０】
以下同様にして、鉄骨１２の建て込み、プレキャスト外枠部材１０ａ及びプレキャスト内枠部材１０ｂの設置及びコンクリート１３の打設を繰り返すことにより、図１２に示すように、コンクリート橋脚１を完成することができる。
【００２１】
図１３〜図１７は、プレキャスト内枠部材１０ｂに上述の鉄筋用フレーム１４及び鉄筋１１を取り付ける手順を示す。ここでは、鉄筋用フレーム１４を４角形とし、これを縦に２分割した場合について説明する。まず、図１３に示すようにプレキャスト内枠部材１０ｂの外周面に、適宜な方法で鉄筋用フレーム１４の片方の内側フレーム１４ａを固定する。内側フレーム１４ａはコの字状であり、縦辺部分にメッシュ筋２５が設けられている。このメッシュ筋２５は、帯鉄筋１１のピッチを正確に保つと共に、帯鉄筋１１の組立を容易にするために取り付けられている。
【００２２】
次に、図１４に示すようにメッシュ筋２５に複数の帯鉄筋１１を取り付ける。続いて、図１５に示すように内側フレーム１４ａに他方の外側フレーム１４ｂを取り付ける。この外側フレーム１４ｂにもメッシュ筋２６が設けられている。次に、図１６に示すように外側フレーム１４ｂのメッシュ筋２６に帯鉄筋１１を取り付け、更に図１７に示すように内側フレーム１４ａの帯鉄筋１１と、外側フレーム１４ｂの帯鉄筋１１とを中間帯鉄筋２７で連結する。これにより、鉄筋用フレーム１４と、帯鉄筋１１及び中間帯鉄筋２７との取り付けが完了する。
【００２３】
このように、本発明に係るコンクリート橋脚の施工方法は、プレキャスト型枠部材１０のプレキャスト内枠部材１０ｂに、予め鉄筋用フレーム１４を介して鉄筋１１を取り付けてから積み上げるので、鉄筋１１の取り付けが容易になる。また、現地における鉄筋１１の組立作業及び型枠の解体が不要なので、作業工数の低減及び工期の短縮が可能になる。更に、高所における鉄筋組立作業が省略できるので、作業性及び安全性が向上する。
【００２４】
また、プレキャスト内枠部材１０ｂに鉄筋用フレーム１４を設け、この鉄筋用フレーム１４の内側フレーム１４ａに帯鉄筋１１を取り付けたので、帯鉄筋１１の取り付けが容易になる。この鉄筋用フレーム１４を設けたことにより、プレキャスト型枠１０を吊り上げるときに形状が保持される。
【００２５】
なお、上述の実施の形態では、コンクリート橋脚１を中空断面とした場合について説明したが、本発明は中実断面のコンクリート橋脚に適用することもできる。また、ここでは鉄筋用フレーム１４及び帯鉄筋１１をプレキャスト内枠部材１０ｂに取り付けたが、これをプレキャスト外枠部材１０ａに取り付けることもできる。更に、プレキャスト型枠部材１０の設置工程、鉄骨１２の建て込み工程は、適宜入れ替えて行うことができる。
【００２６】
【発明の効果】
以上説明したように、本発明に係るコンクリート橋脚の施工方法によれば、プレキャスト型枠部材を使用するので、現地における型枠の解体作業が不要になると共に、プレキャスト型枠部材に予め鉄筋用フレームを介して鉄筋を取り付けてから積み上げるので、鉄筋の取り付けが容易になると共に、現地において鉄筋の組立作業が不要になる。したがって、作業工数の低減及び工期の短縮が可能になる。更に高所における鉄筋組立作業が不要になるので、作業性及び安全性が向上する。
【００２７】
また、鉄筋を帯鉄筋及び中間帯鉄筋とした場合は、帯鉄筋及び中間帯鉄筋の組立が容易になる。
【図面の簡単な説明】
【図１】本発明に係るコンクリート橋脚の施工方法を説明するフローチャートである。
【図２】本発明に係るコンクリート橋脚を示す断面図である。
【図３】本発明に係るコンクリート橋脚の施工手順を示す図である。
【図４】本発明に係るコンクリート橋脚の施工手順を示す図である。
【図５】本発明に係るコンクリート橋脚の施工手順を示す図である。
【図６】本発明に係るコンクリート橋脚の施工手順を示す図である。
【図７】本発明に係るコンクリート橋脚の施工手順を示す図である。
【図８】本発明に係るコンクリート橋脚の施工手順を示す図である。
【図９】本発明に係るコンクリート橋脚の施工手順を示す図である。
【図１０】本発明に係るコンクリート橋脚の施工手順を示す図である。
【図１１】本発明に係るコンクリート橋脚の施工手順を示す図である。
【図１２】本発明に係るコンクリート橋脚の施工手順を示す図である。
【図１３】本発明に係るプレキャスト型枠部材の鉄筋用フレーム及び鉄筋の取り付け手順を示す図である。
【図１４】本発明に係るプレキャスト型枠部材の鉄筋用フレーム及び鉄筋の取り付け手順を示す図である。
【図１５】本発明に係るプレキャスト型枠部材の鉄筋用フレーム及び鉄筋の取り付け手順を示す図である。
【図１６】本発明に係るプレキャスト型枠部材の鉄筋用フレーム及び鉄筋の取り付け手順を示す図である。
【図１７】本発明に係るプレキャスト型枠部材の鉄筋用フレーム及び鉄筋の取り付け手順を示す図である。
【符号の説明】
１  コンクリート橋脚
１０  プレキャスト型枠部材
１０ａ  プレキャスト外枠部材
１０ｂ  プレキャスト内枠部材
１１  帯鉄筋
１２  鉄骨
１３  コンクリート
１４  鉄筋用フレーム
２７  中間帯鉄筋
【図１】
0004136049.tif 000002
【図２】
0004136049.tif 000003
【図３】
0004136049.tif 000004
【図４】
0004136049.tif 000005
【図５】
0004136049.tif 000006
【図６】
0004136049.tif 000007
【図７】
0004136049.tif 000008
【図８】
0004136049.tif 000009
【図９】
0004136049.tif 000010
【図１０】
0004136049.tif 000011
【図１１】
0004136049.tif 000012
【図１２】
0004136049.tif 000013
【図１３】
0004136049.tif 000014
【図１４】
0004136049.tif 000015
【図１５】
0004136049.tif 000016
【図１６】
0004136049.tif 000017
【図１７】
0004136049.tif 000018